(57)【要約】  眼鏡のテンプル（１）の軸方向に間隔Ｄを空けて係止された２個一組のリング状の係止片（２）が弾性ゴムで形成されており、テンプル（１）の軸方向に移動させることで間隔（Ｄ）を変更可能であり、これらの係止片（２）を帯状の弾性ゴム製の連結片（３）で所定間隔で連結する。間隔Ｄを狭めたり広げたりしてテンプル（１）の内方に突き出るアーチ形の大きさを調整し、最も突き出た中央部分を眼鏡の着用者の側頭部に圧接させて眼鏡を支持する。
2019082459.tif 000002
【特許請求の範囲】
【請求項１】
眼鏡のテンプルの軸方向に間隔を空けて係止可能な複数の係止片と、これら複数の係止片のうち２以上を連結し、この連結する間隔を狭めるほど前記テンプルの内方に突き出て曲がる連結片と、を備えた眼鏡の支持具。
【請求項２】
前記連結片が、可撓性のある素材または折り曲げ可能なヒンジ付きの素材からなる連結片である請求項１に記載の眼鏡の支持具。
【請求項３】
前記した連結片、係止片のいずれかまたはその両方が、ゴム状弾性を有するものである請求項２に記載の眼鏡の支持具。
【請求項４】
前記係止片が、環状の係止片である請求項１または３に記載の眼鏡の支持具。
【請求項５】
前記係止片が、環状の一部が切り欠かれた断面Ｃ字状の係止片である請求項１または３に記載の眼鏡の支持具。
【請求項６】
前記係止片および前記連結片が、弾性ゴムまたは熱可塑性エラストマーからなる一体成形品である請求項１、２、４、５のいずれかに記載の眼鏡の支持具。
【請求項７】
前記係止片が、前記テンプルに形成された溝、穴または突起に係止可能な係止片である請求項１に記載の眼鏡の支持具。
【請求項８】
請求項１〜３、７のいずれかに記載の眼鏡の支持具を、テンプルの内方に連結片が突き出るように、前記テンプルの軸方向に複数の係止片を所定間隔に係止して備え付けた支持具付き眼鏡。
【発明の詳細な説明】
【技術分野】
【０００１】
この発明は、眼鏡フレームのテンプル部分に取り付け可能な眼鏡の支持具及び支持具付き眼鏡に関するものである。
【背景技術】
【０００２】
一般に、眼鏡のフレームは、眼鏡レンズを保持するフロント部と、このフロント部の左右両端に蝶番を介して一対のテンプル部の各基端を連結し、前記蝶番の回転軸の周りに前記一対のテンプル部の先端が適当な距離に開くように旋回させて、前記フロント部の中央に設けた鼻当てと、前記テンプル部の後端のモダン部（耳かけ部とも別称される。）で眼鏡使用者の顔面に係止している。【０００３】
このとき、眼鏡は、モダン部と鼻当てで支持されるが、レンズを嵌めたフロント部から生じる眼鏡の荷重は、フロント部の直下の鼻当てで集中的に支えるので、眼鏡を長時間着用すると、着用者は、顔面の鼻骨上の部分（以下、鼻上部と称する。）に圧迫感やその他の違和感を持ったり、分泌した汗や皮脂で鼻当てが鼻上部から滑り落ちやすくなり、また女性の場合には鼻上部における局所的な化粧崩れの原因となり、さらには眼鏡を常用する成長期の子供にとっては鼻骨の変形要因にもなっている。【０００４】
このように眼鏡着用者が受ける鼻上部の圧迫感や違和感、またはずり落ちやすい等の不具合を軽減するために、テンプルの末端にモダン部を設けるだけでなく、テンプルの内側に、眼鏡着用者の側頭部に沿う所定のカーブで弓形の前支持部を設け、この前支持部を使用者の側頭部に接触させて、鼻当てで受ける荷重を減らし、眼鏡のズリ落ちを防げるようにした眼鏡フレームが知られている（下記特許文献１）。【０００５】
このような眼鏡フレームは、使用者の鼻上部に鼻当てが全く接触しないか、または軽く接することになるので、眼鏡を長時間かけていても眼鏡の重さや圧迫感を感じにくく、また鼻上部等に汗をかいても眼鏡をずり落ち難くなる。【０００６】
また、別形態の眼鏡フレームとして、テンプルに形成した長孔や溝にスライド可能な部品にねじ止めされた支持部材に、棒状部品を介して頬骨当てパッド部を連結した眼鏡フレーム（下記特許文献２）が知られている。【０００７】
テンプルの外側に係止されるＣ字状の取り付け部材であって、テンプルの長手方向に移動可能に取付け可能であり、取り付け部材にバネやゴム等の弾性体を介して滑り止め片を設けることで、滑り止め片を側頭部のこめかみ付近に接触させる眼鏡の支持具が知られている（下記特許文献３）。【０００８】
また、眼鏡のつる(テンプル)後端のモダン部（カバー部位）に滑り止め具を装着した眼鏡であって、天然ゴム材又は合成ゴム材で形成された着脱自在な環状の滑り止め具を装着したものが知られている（下記特許文献４）。
【先行技術文献】
【特許文献】
【０００９】
【特許文献１】実用新案登録第３１９８９６４号公報
【特許文献２】国際公開第２００９／０９０７３３号
【特許文献３】特開平１０−１６１０６８号公報
【特許文献４】実用新案登録第３０９６１６４号公報
【発明の概要】
【発明が解決しようとする課題】
【００１０】
しかし、上記した特許文献１、２に記載された眼鏡フレームは、使用者の側頭部に当接させる部品が、若干、弾性変形することは可能であるが、大きく曲がることはないから、支持部のテンプルの内側に突出する高さを、使用者の顔面形状等の個人差に合わせて充分に調節することができないものであった。【００１１】
また、上記した特許文献３、４に記載された眼鏡の支持具は、ボタン状またはリング状の滑り止め片をテンプルの軸方向に移動させて係止位置を変えることはできるが、滑り止め片はテンプルの内側に所定の大きさで突出しているものであって、特にその形状を変えるものではないので、テンプルの内方に突出する高さを簡単に調節できないものである。そのため、滑り止め片の側頭部に対する適切な圧接力や密着性が充分に得られるものではなかった。【００１２】
そこで、この発明の課題は、上記した問題点を解決して、眼鏡の使用者の側頭部に押し当てる支持具について、テンプルの内側に突出する高さ調整が容易であり、かつ側頭部への密着性に優れたものとし、所要の圧接力で側頭部に接して快適な装着感が得られると共に、眼鏡の多様な形態のテンプルに装着されてずり落ち防止機能が安定して発揮される眼鏡の支持具とすることである。【００１３】
また、このような支持具を装着した眼鏡について、支持具によるテンプルの内側に突出する部分による密着性や圧接力が充分に得られ、快適な装着感の支持具付き眼鏡とすることである。
【課題を解決するための手段】
【００１４】
上記の課題を解決するために、この発明は、眼鏡のテンプルの軸方向に間隔を空けて係止可能な複数の係止片と、これら複数の係止片のうち２以上を連結し、この連結する間隔を狭めるほど前記テンプルの内方に突き出て曲がる連結片とを備えた眼鏡の支持具としたのである。【００１５】
上記したように構成されるこの発明の眼鏡の支持具は、眼鏡のテンプルの軸方向に間隔を空けて係止された複数の係止片のうち２以上を連結片で連結し、前記係止片の位置を調整して連結する間隔を適当に広げたり狭めたりすることによって、連結片を撓ませて曲げるか、または折り曲げるように変形させることにより、連結片の中央部分をテンプルの内側に突出する高さを大きく変化させることができる。【００１６】
このようにして支持具付き眼鏡は、連結片のテンプルの内側に突出する高さを、顔の側面の凹凸に対応させ、係止性や圧接力を充分に発揮させることができる。
但し、複数の係止片の位置調整は、必ずしも複数回の位置決めが可能であるように調整する必要はない。すなわち、連結片がテンプルの内方に適当な高さに突き出て曲がるように、テンプルに対する複数の係止片の適切な取付位置は、設計段階等において予め決められた位置に取り付けても良く、さらに所定位置に係止した係止片は、接着や溶着、または嵌め合わせ等の手段によって固定しておいてもよい。【００１７】
テンプルの内方に突き出て曲がる連結片は、圧接する側頭部の凹凸形状に沿って曲がり、側頭部への密着性に優れたものであるように、外力を受けた際に軸方向が曲がる可撓性を有する素材からなり、またはヒンジ付きの折り曲げ可能な素材で形成されている。【００１８】
また、連結片を使用者の側頭部に押し当てる圧接力は、装着感を良くするために弾性的に圧接させることが好ましく、そのためには、ゴム状弾性を有する素材からなる連結片を採用することが好ましい。【００１９】
連結片、係止片のいずれかまたはその両方が、ゴム状弾性を有する素材で構成されていれば、振動や衝撃に強い弾性的なずり落ち防止機能を持ち、特にスポーツをする場合などに、頭部が激しく揺れ動いても眼鏡がずり落ち難く安定性良く支持できる。【００２０】
係止片は、テンプルの軸方向に間隔を空けて係止可能な一般的な係止手段によって、特に予備的に加工されていない通常の眼鏡のテンプルにも係止できるものである。係止片は、例えばＯリング等のゴム状弾性素材の密着性や摩擦力、クランプやクリップなどの機械的締め付け力や弾性バネによる締め付け力でテンプルに係止できる。【００２１】
環状の係止片は、テンプルの後端から軸方向に嵌めて挿入可能であり、嵌め入れたテンプルの径方向に外れることなく、適当な距離だけ軸方向に動かすことによって、容易に係止片の間隔調整が行える。【００２２】
また、係止片が、環状の一部が切り欠かれたＣ字環状のものであれば、切り欠かれた部分をテンプルの径方向から掛けたり外したりできるので、間隔調整がより容易にできる。【００２３】
係止片および連結片として、弾性ゴムまたは熱可塑性エラストマーからなる一体成形品を採用すれば、ゴム状弾性による密着性に優れ、テンプルに対する係止力に優れた係止片になり、また使用者の側頭部に対する摩擦係止性に優れた連結片になる。これらを用いて、ずり落ち防止機能および装着感の優れた眼鏡の支持具を構成することが好ましい。【００２４】
また、眼鏡に対する支持具への備え付けや、係止片の間隔調整が容易な係止片の形態としては、テンプルに形成された溝、穴または突起に係止可能なものを採用することが好ましい。
前記した溝、穴または突起は、テンプルの内側面または外側面のうち、片面もしくは両面に対して形成された一以上の溝、複数の凹部からなる穴もしくは前記両面を貫通する穴または片面もしくは両面に設けられた複数の突起をいう。
前記溝の形状は、例えば直線状または波線状（折曲線状または曲線状）等であり、前記穴の形状としては、丸穴もしくは角穴またはそれらの長穴（スリット）等が挙げられる。
前記突起の形状は、例えば柱状、球状、錐体状等であり、そのような突起の側面には抜け止め（いわゆる「返し」）となる段差部を形成してもよい。【００２５】
このような溝、穴または突起が予め形成されている眼鏡のテンプルに対し、２以上の係止片を間隔を空けて係止するためには、溝、穴または突起に対して摩擦力、粘着力、接着力または嵌め合い等の係止手段を採用できる。
テンプルに形成された溝、穴または突起に対して係止片を係止するには、係止片の全体または先端部を、ゴム状弾性を有する素材で形成し、この部分を弾性変形させて穴やスリットに挿通させて裏側に係止すればよく、また係止片の先端に形成した穴に前記突起を嵌め入れて係止し、前記段差部を利用して抜け止めする等の周知の係止手段を採用できる。【００２６】
このようにして上記した眼鏡の支持具の複数の前記係止片を所定間隔で係止することにより、複数の係止片を連結した前記連結片がテンプルの内方に突き出る支持具付き眼鏡が得られる。
このような眼鏡は、テンプルの内側に突出する支持具の高さが、個人差にも充分に対応するものであり、その連結片が側頭部の凹凸の形状に沿って曲がるので、側頭部への密着性に優れ、ずり落ち防止機能および快適な装着感が得られる支持具付き眼鏡になる。
【発明の効果】
【００２７】
この発明は、眼鏡の支持具が、眼鏡のテンプルの軸方向に間隔を空けて係止可能な複数の係止片の間隔の調整によって、テンプルの内方に突き出て曲がる高さを容易かつ充分に設定または調節できるので、使用者の側頭部に連結片が確実に圧接し、違和感のない密着性によって、ずり落ち防止機能および装着感に優れたものであるという利点がある。【００２８】
また、このような支持具付き眼鏡は、テンプルの内方に突出する支持具の高さが個人差に充分に対応して圧接力の調整が容易であると共に、密着性がよく快適な装着感が得られるという利点がある。
【図面の簡単な説明】
【００２９】
【図１】第１実施形態の眼鏡の支持具及びそれを取りつけた眼鏡の斜視図
【図２】第１実施形態の眼鏡の支持具の斜視図
【図３】第１実施形態の眼鏡の支持具を取りつけた眼鏡の使用状態を示す平面図
【図４】図３のIV-IV線拡大断面図
【図５】第１実施形態の一組の係止片の間隔を狭めた使用状態を示す平面図
【図６】第１実施形態の一組の係止片の間隔を広げた使用状態を示す平面図
【図７】第１実施形態を取りつけた眼鏡のテンプルの別形態を示す斜視図
【図８】第２実施形態の眼鏡の支持具及びそれを取りつけたテンプルの斜視図
【図９】第２実施形態の眼鏡の支持具のテンプルと支持具の分解斜視図
【図１０】第３実施形態の眼鏡の支持具の横断面図
【図１１】第４実施形態の眼鏡の支持具のテンプルと支持具の分解斜視図
【図１２】第５実施形態の眼鏡の支持具のテンプルと支持具の分解斜視図
【発明を実施するための形態】
【００３０】
この発明の実施形態の眼鏡の支持具及びそれを取りつけた眼鏡を以下に、添付図面に基づいて説明する。
図１−図６に示すように、第１実施形態の眼鏡の支持具Ａは、眼鏡の矩形断面のテンプル１の軸方向に間隔Ｄを空けて２個一組の長円形(オーバル)のリング状の係止片２を係止し、この係止片２を弾性ゴムで形成してテンプル１の軸方向に摺動させることによって間隔Ｄを変更可能とし、これらの係止片２は、帯状の弾性ゴム製の連結片３で連結している。
【００３１】
係止片２と連結片３とを連結するには、これらを連結された状態に一体成形するか、または複合成形することが、成形体全体の強度を高めるために好ましい。なお、係止片２と連結片３とを嵌め合わせにより連結しても良く、また接着またはスリーブやテープ等の継手部品を用いて連結することもできる。
【００３２】
図１に示すように、２個一組の係止片２の間隔Ｄは、連結片３を展開した状態の全長より短い間隔であるように、連結片３を撓ませて曲げた状態でテンプル１に取り付けている。
また、間隔Ｄを調整することにより、テンプル１の内方に突き出るアーチ形の大きさを調整できる。アーチ形の頂部を眼鏡の着用者の側頭部に適度の圧力で接するようにし、また側頭部に対し、連結片３の素材および曲げられた形状によって密着させている。
【００３３】
図２に示すように、係止片２は、長円形(オーバル形のリング)のものを示したが、取付対象とする眼鏡のテンプル１の外形状に合わせて略環状のものを採用すればよく、テンプル１の外側で軸周りに回転しないように形状と大きさを設定する。係止片２は、テンプル１のモダン部（耳かけ部）４の後端から軸方向に挿し入れて係止可能であり、所定位置に係止されることにより、テンプルから不用意に外れることはない。
必要であれば、係止片２のテンプル１に対する位置決めをより確実に行なえるように、テンプルの外側面の軸方向に間隔を空けて複数の周溝、波形または粗面等を形成しておくこともできる。
【００３４】
また、係止片２は、図２の鎖線で囲まれた長方体２ａの部分を切り欠いて、Ｃ字状に形成してもよい。Ｃ字状の係止片は、切り欠かれた部分をフックのように利用してテンプル１の径方向からに掛けたり外したりできるので、テンプル１に対する着脱が容易である。
【００３５】
係止片２は、２つ以上を連結片３で連結すればよく、必要であれば３個以上の係止片２を適当な間隔を空けて配置し、各間隔をそれぞれ連結片３を用いて連結してもよい。
【００３６】
例えば、図３に実線および鎖線で示すように、３個一組の係止片２の２つの間隔をそれぞれ連結片３で連結することもできる。
【００３７】
連結片３は、係止片２の間隔を狭めるほど、アーチ形の中央部の曲率半径が小さくなって、テンプル１の内方に突き出る高さは高くなるので、係止片２の間隔を適当に変えて前記の高さを調整する。
【００３８】
３個以上の係止片２を用いた眼鏡の支持具を使用するときは、２以上の連結片３のアーチの高さをそれぞれ調整し、側頭部Ｈの各所の凹凸形状に合わせて、側頭部Ｈの２か所以上に最も適切な圧接力が得られるように、それぞれ適切な高さや違和感のない圧接力が得られるように調節できる。
また支持具の設計段階で、所定の形態のテンプル１に対する係止片２の適切な取付位置を決めておき、係止片２を適切な所定位置に接着や嵌め合わせ等によって固定しておくこともできる。
【００３９】
連結片３は、外力によって軸方向がしなやかに曲がる可撓性を有する素材を採用するか、またはヒンジ部分で屈曲して折れ曲がり性のある素材で形成し、それらを所定の長さに設けている。
【００４０】
可撓性のある連結片３の素材としては、天然ゴム、ニトリルゴム、ウレタンゴム、シリコーンゴム等の弾性ゴムや、低密度ポリオレフィン、軟質ポリ乳酸、軟質塩化ビニルなどの軟質プラスチック（例えば引張り弾性率７０ＭＰａ以下のもの）、または熱可塑性エラストマーなどが挙げられる。
【００４１】
特に、硬さ調整が容易にできるポリウレタン樹脂や、皮膚になじみの良いシリコーンゴム等からなる板状または棒状の素材を採用することが好ましい。熱可塑性エラストマーは、ポリマーの構成が、熱可塑性のある末端ブロックと弾性のある中間ブロックで構成されており、熱可塑性樹脂と同様に溶融成形が可能な周知の素材である。
【００４２】
係止片２および連結片３が、いずれも同じ材料の弾性ゴムまたは熱可塑性エラストマーからなる場合は、係止片２および連結片３を一体に注型成形できる。また、係止片２および連結片３のそれぞれが、弾性率等の所要特性の異なる材料を用いる場合は、複合成形するか、またはそれぞれを接着や嵌め合わせ等して一体化してもよい。
【００４３】
前記した可撓性のある素材に屈曲性を持たせることも可能であり、図２の鎖線で示すように、ゴム等のゴム状弾性を有する単層帯板状の連結片３の中程に、三角柱状の切り欠き部分３ａを形成し、折れ曲がりやすい薄肉のヒンジ部を形成しておくこともできる。
【００４４】
連結片３を構成する素材としては、可撓性があまりなく、屈曲性によって折れ曲がり性を持たせることが必要な素材としては、木材やセラミック、またはチタン等の金属が挙げられる。これらの素材を用いる場合、小さな方形の板状のものを単位とし、その２以上を蝶番や可動連接棒（リンク）、ピン継手のようなヒンジ用部品を介して屈曲自在に連結してベルト等の帯状素材としたものを採用すればよい。
【００４５】
また、帯状の連結片３の連結する単位素材の幅を変え、帯状の一部または全体の幅を広げるか、または逆に帯状の一部または全体の幅を狭く設定し、側頭部に接触する部分の面積を調整して圧接力や密着性、または摩擦による係止力を調整できる。
図２に示した連結片３は、側頭部に接触する中央部分に近い部分ほど幅広に形成し、密着性を高めつつ、圧迫感を小さくして装着感も高めている。
【００４６】
図３、４に示す第１実施形態の眼鏡の支持具の使用状態では、弾性ゴムで形成された連結片３の中央部分が眼鏡着用者の側頭部Ｈに圧接する際、Ｕ字状またはアーチ状に湾曲している。そして、モダン部４を耳Ｅに係止した状態で、連結片３の頂部が陥凹部ｈのあるこめかみに係止されており、しかも密着して弾性的に圧接している。
【００４７】
連結片３と側頭部Ｈとの適切な係止状態では、連結片３の中央部分（Ｕ字の頂部）を頬骨弓Ｈ１と呼ばれる骨の上の陥凹部ｈに当てて、頬骨弓Ｈ１の出っ張り部分に係止する。
【００４８】
図５または図６に示すように、第１実施形態の眼鏡の支持具は、眼鏡のテンプル１と使用者の側頭部Ｈとの距離が、眼鏡のデザインによる様々な形状のテンプル１の形状や、使用者の顔の大きさの個人差によって大きく異なる場合にも対応できる。
【００４９】
図５に実線で示す眼鏡のテンプル１と使用者の側頭部Ｈとの距離は、当初、一点鎖線で示す標準的な位置関係にある場合に比べて離れていたので、２個一組の係止片２の標準的な距離Ｄから距離Ｄ１に狭めることにより、テンプル１の内方に突き出る高さを大きくし、テンプル１と、同じく実線で示す使用者の側頭部Ｈとの距離に対応させたものである。
【００５０】
また、図６に示すように、実線で示す眼鏡のテンプル１と使用者の側頭部Ｈとの距離が、一点鎖線で示す標準的な位置関係にある場合に比べて接近している場合には、２個一組の係止片２の標準的な距離Ｄから距離Ｄ２に広げることにより、テンプル１の内方に突き出る高さを低くし、実線で示す眼鏡のテンプル１と使用者の側頭部Ｈとの距離に対応させることができる。
【００５１】
さらに図７に示すように、第１実施形態の眼鏡の支持具は、眼鏡のデザインによって様々な形態のテンプル１に係止できる。図示したテンプル１１は、その内側に軸方向に沿って延びる合成樹脂製の弾性クリップ１２を有し、この弾性クリップ１２は、ペンクリップのように一端部分１２ａがテンプル１と一体に成形又は固定されており、自由端１２ｂがテンプル１の内側に弾性力で接しており、弾性力に抗して自由端１２ｂを持ちあげてテンプル１から離すことができる。
【００５２】
このようなテンプル１１と一体の弾性クリップ１２に対し、第１実施形態の眼鏡の支持具を取りつけるには、２個一組の長円形等の係止片２を、図中の矢印方向に持ち上げた弾性クリップ１２の自由端側から嵌め入れて任意の位置に挿し入れて係止し、さらに一対の係止片２の間隔を調整して、連結片３を撓ませて曲げた状態にすればよい。
【００５３】
次に、図８に示す第２実施形態の支持具Ｂ付きの眼鏡は、テンプル１の内側に開口して軸方向へ延びる溝５を形成し、この溝５の壁面に係止可能な硬質の弾性ゴムまたは合成樹脂からなる円形ボタン状の係止片６と、２個一組の係止片６を所定間隔で連結する弾性ゴムからなる棒状の連結片７とを備えて一体成形された支持具を採用したものである。
【００５４】
なお、係止片６と連結片７とからなる支持具の素材は、前記した弾性ゴムの他、第１実施形態と同じものを採用できる。図示した連結片７は、中央に近い部分ほど径の太い棒状体としたものである。
【００５５】
係止片６のボタン状の形態は、溝５に係止可能なものであれば特に限定されるものではなく、図７に示した円形のものだけでなく、四方形その他の多角形等のボタン状のものを採用できる。
【００５６】
係止片６は、連結片７と一体的に成形したものを図示したが、別途作製したボタン状の部品を接着などで固定するか、または連結片７の先端に付設した回転軸に支持させて回転自在に取り付けてもよい。
【００５７】
溝５には、ボタン型の係止片６を確実に係止するために、全溝壁面に連続した凹条部５ａが形成されていることが好ましい。凹条部５ａは、係止片６の周縁部を嵌め入れてスライドまたは回転させてテンプル１の軸方向に係止片６を移動させる際に案内する。凹条部５ａと異なる形状の凹部を有する溝５としては、蟻溝や五角形以上の多角形状の溝または円溝を採用することもできる。
【００５８】
係止片６を溝５に係止するには、凹条部５ａに係止片６の周縁部分を、これらの素材の弾性変形性を利用して嵌め入れる。
その後、溝５の両端部分と弧状に曲げ変形させた連結片７との隙間を埋めるように、ゴム板などで別途作製した小片状のストッパ８を挿し入れると、係止片６の位置をより確実に規制できる。
【００５９】
図９に示すように、第２実施形態の支持具Ｂ付きの眼鏡を、テンプル１の内側と外側とを貫通して軸方向へ延びる波型のスリット９に係止することもできる。
【００６０】
スリット９の波形は、波の山同士または谷同士が対向するように配置されており、スリット９の長手方向に沿ってその幅が規則的に広がったり狭まったり変化する。従って、スリット９の長手方向の任意の位置のその幅が狭まった箇所に係止片６またはそれに連続する連結片７の要部を圧接させて位置決め可能であり、２つの係止片６の幅によって連結片７のテンプル１の内方に突き出る高さの調整も容易にできる。スリット９に係止される係止片６は、係止力を高めるために合成樹脂等の所要硬さの部品を用いることが好ましい。
【００６１】
連結片７で、一組の係止片６を連結した眼鏡の支持具Ｂをテンプル１に形成されたスリットに係止するには、係止片６をスリット９を挿通させてテンプル１の裏側に係止してもよい。
【００６２】
その場合には、テンプル１の外側には、係止片６を覆うように蓋板１０を接着する等して固定し、眼鏡の着用者の側頭部に圧接した際の圧接力を、蓋板１０で受け止めれば連結片７の曲げ形状も安定する。
【００６３】
また、図９の鎖線および図１０に示す第３実施形態の眼鏡の支持具は、２重のフランジ形の係止片６、６´を設け、これらの係止片６、６´の間にスリット９の周縁部分を嵌め入れて係止することができるものである。このような眼鏡の支持具であれば、図９で示した蓋板１０を省略可能である。
【００６４】
次に、図１１に示す第４実施形態の支持具Ｃ付きの眼鏡は、左右のテンプル１の内側面と外側面を貫通する複数の孔１５をテンプル１の軸(長手)方向に間隔を空けて形成している。支持具Ｃは、丸孔等の周知形状の孔１５に嵌め入れてスナップ結合が可能な頭部を有する２つの係止片１３を有し、これらの係止片１３の柱状の基部は、帯状の連結片１４で一体に連結されている。
【００６５】
支持具Ｃは、２つの係止片１３と連結片１４とを、弾性を有する合成樹脂または合成ゴムで一体成形することによって連結した状態に設けることができる。２つの係止片１３は、連結片１４を図中の一点鎖線で示す状態から実線で示す弧状に弾性変形させ、テンプル１に配置されている複数の孔１５のうち、適当な位置の２つに嵌め入れて係止することにより、連結片１４を適度に撓ませてアーチ形の大きさを調整することができる。そして、適度なアーチの高さと適度な弾性力で撓んだ状態の連結片１４を、一対のテンプル１の内側に眼鏡着用者の側頭部を圧接させて眼鏡を係止することができる。
【００６６】
なお、係止片１３は、頭部が丸形のリベット状のものを図示したが、スナップボタンのような頭部が紡錘形のものであってもよく、これらはいずれも孔１５とのスナップ結合による係止が手で容易にできるので、好ましいものである。
【００６７】
次に、図１２に示す第５実施形態の支持具Ｄ付きの眼鏡は、左右の樹脂製テンプル１の内側面の所要部分に複数の柱状の突起１６を一体成形し、それらはテンプル１の長手方向に所定間隔で設けられている。支持具Ｄは、第４実施形態の支持具Ｃと略同様の形態であるが、係止片１３に代えて、連結片１４の両端を、そのままの端面形状で長手方向に突起１６の長さだけ延長させた部分を係止片１７とし、その先端面に突起１６を嵌め入れ可能な大きさの円穴状の凹部１８を形成したものである。支持具Ｄの材質や係止片１７以外の部分は、前記した支持具Ｃと同じである。
【００６８】
眼鏡の支持具Ｄは、連結片１４を図中の一点鎖線で示す状態から実線で示す弧状に弾性変形させ、２つの係止片１３の凹部１８に、テンプル１に配置されている複数（図示したものは５個）の突起１６のうち、適当な位置にある２つを嵌め入れて係止すればよい。係止位置の選択により、連結片１４を適度に撓ませてアーチ形の大きさを調整し、支持具Ｃと同様な効果が奏される。
【００６９】
なお、突起１６は、円柱状のものを図示したが、その他の例として、角柱状、丸頭リベット状（きのこ状）、平頭リベット状、表面に凹凸のある棒状、フック状、その他の周知形状からなる突起１６であってもよく、柱状部分の外周には、いわゆる「返し」の機能を発揮する段差部を形成しておくことが、スナップ結合等による係止を確実にするために好ましい。
【００７０】
以上のようにして実施形態１〜４の眼鏡の支持具Ａ、Ｂ（Ｂ´）、Ｃ、Ｄ付きの眼鏡を使用すれば、レンズを含む眼鏡の荷重（図４等を参照）は、連結片３、７、１４の弾性的な圧接による摩擦力と密着性および連結片３、７、１４と陥凹部ｈとの係止によって支持されるので、眼鏡の支持具の使用者は、側頭部Ｈへの圧接による違和感を覚えることなく、また鼻当てを用いなくても良いので、汗をかいても眼鏡はずり落ち難く、快適な装着感が得られる。
【符号の説明】
【００７１】
１、１１  テンプル
２、６、１３  係止片
２ａ  長方体
３、７、１４、１７  連結片
３ａ  切り欠き部分
４  モダン部
５  溝
５ａ  凹条部
８  ストッパ
９  スリット
１０  蓋板
１２  弾性クリップ
１２ａ  一端部分
１２ｂ  自由端
１５  孔
１６  突起
１８  凹部
Ａ、Ｂ、Ｂ´、Ｃ、Ｄ  支持具
Ｈ  側頭部
Ｈ１  頬骨弓
Ｅ  耳
【図１】
2019082459.tif 000003
【図２】
2019082459.tif 000004
【図３】
2019082459.tif 000005
【図４】
2019082459.tif 000006
【図５】
2019082459.tif 000007
【図６】
2019082459.tif 000008
【図７】
2019082459.tif 000009
【図８】
2019082459.tif 000010
【図９】
2019082459.tif 000011
【図１０】
2019082459.tif 000012
【図１１】
2019082459.tif 000013
【図１２】
2019082459.tif 000014
【国際調査報告】
2019082459.tif 000015
2019082459.tif 000016
2019082459.tif 000017